(57)【要約】【課題】登録された複数のアプリケーション間でのデータ共有のオン／オフを発行時に任意に変更することを可能とし、またファイル内の細かなデータ要素単位でのデータ共有のオン／オフ指定も可能とする携帯可能電子装置を提供する。【解決手段】書換えが可能な不揮発性メモリ、および、この不揮発性メモリに対してデータの読出しあるいは書込みを行なうための制御素子を有し、選択的に外部との間でデータの入出力を行なうもので、複数のアプリケーションが登録され、これら複数のアプリケーションに対応する複数のアプリケーションファイルが設けられているＩＣカードにおいて、複数のアプリケーション間で、そのアプリケーションファイル内のデータをバイト単位で共有指定するための共有データテーブルをデータメモリ内に設け、この共有データテーブルを解釈しデータ共有を実現する機能をプログラムメモリ内のプログラムに備えたことを特徴とする。【選択図】    図６
2004157924.tif 000002
【特許請求の範囲】
【請求項１】
データを記憶するメモリ、および、このメモリに対してデータの読出しあるいは書込みを行なうための制御部を有し、選択的に外部との間でデータの入出力を行ない、かつ、複数のアプリケーションが登録されていて、これら複数のアプリケーションに関係するデータが格納される複数のアプリケーションファイルが前記メモリ内に設けられている携帯可能電子装置において、
前記複数のアプリケーション間で、そのアプリケーションファイル内のデータを共有指定するための共有データを記憶した記憶手段と、
この記憶手段に記憶された共有データを解釈し前記データ共有を実現する制御手段と、
を具備したことを特徴とする携帯可能電子装置。
【請求項２】
前記記憶手段は前記メモリであり、前記制御手段は前記制御部であって、前記メモリに記憶された共有データを解釈し前記データ共有を実現するプログラムを有し、このプログラムを実行することにより前記データ共有を実現することを特徴とする請求項１記載の携帯可能電子装置。
【請求項３】
前記複数のアプリケーションファイルは、それぞれ少なくとも１つ以上のデータが格納されていて、前記記憶手段は、前記アプリケーションファイル内のデータのうち各アプリケーションファイル間で共有可能なデータごとに共有指定するための共有データをテーブルの形で記憶していることを特徴とする請求項１記載の携帯可能電子装置。
【請求項４】
データを記憶する書換え可能な不揮発性の第１のメモリ、この第１のメモリに対してデータの読出しあるいは書込みを行なうための制御部、および、この制御部が動作するためのプログラムが格納されている書換え不可能な不揮発性の第２のメモリを有し、選択的に外部との間でデータの入出力を行ない、かつ、複数のアプリケーションが登録されていて、これら複数のアプリケーションに関係するデータが格納される複数のアプリケーションファイルが前記第１のメモリ内に設けられている携帯可能電子装置において、
前記第１のメモリ内に記憶され、前記複数のアプリケーション間で、そのアプリケーションファイル内のデータをバイト単位で共有指定するための共有データを格納した共有データテーブルと、
前記第２のメモリ内に記憶され、前記第１のメモリに記憶された共有データテーブルの内容を解釈し前記データ共有を実現するプログラムを有し、このプログラムを実行することにより前記データ共有を実現する制御手段と、
を具備したことを特徴とする携帯可能電子装置。
【請求項５】
データを記憶する書換え可能な不揮発性の第１のメモリ、この第１のメモリに対してデータの読出しあるいは書込みを行なうための制御部、および、この制御部が動作するためのプログラムが格納されている書換え不可能な不揮発性の第２のメモリを有し、選択的に外部との間でデータの入出力を行ない、かつ、複数のアプリケーションが登録されていて、これら複数のアプリケーションに関係するデータが格納される複数のアプリケーションファイルが前記第１のメモリ内に設けられている携帯可能電子装置において、
前記第２のメモリ内に記憶され、前記複数のアプリケーション間で、そのアプリケーションファイル内のデータを共有指定するための共有データを格納した共有データテーブルと、
前記第１のメモリ内に記憶され、前記共有データテーブルに対応して前記データ共有を行なうか否かを指定する共有指定データと、
前記第２のメモリ内に記憶され、前記第２のメモリに記憶された共有データテーブルの内容および前記第１のメモリに記憶された共有指定データを解釈し前記データ共有を実現するプログラムを有し、このプログラムを実行することにより前記データ共有を実現する制御手段と、
を具備したことを特徴とする携帯可能電子装置。
【請求項６】
前記複数のアプリケーションファイルは、それぞれ少なくとも１つ以上のデータが格納されていて、前記共有データテーブルは、前記アプリケーションファイル内のデータのうち各アプリケーションファイル間で共有可能なデータごとに共有指定するための共有データを格納していることを特徴とする請求項５記載の携帯可能電子装置。
【発明の詳細な説明】
【０００１】
【発明の属する技術分野】
本発明は、たとえば、書込み、書換えが可能な不揮発性メモリおよびＣＰＵなどの制御素子を有し、選択的に外部との間でデータの入出力を行なう手段を備えたＩＣチップを内蔵した、いわゆるＩＣカードと称される携帯可能電子装置に係り、特に複数のアプリケーションが登録されている携帯可能電子装置に関する。
【０００２】
【従来の技術】
近年、たとえば、クレジット、ポイント、デビットなどの複数のアプリケーションに対応したＩＣカードが実用化されている。そして、最近、この種のＩＣカードにおいて、登録された複数のアプリケーション間でデータを共有して使用する方法が提案されている（たとえば、特許文献１参照）。
【０００３】
【特許文献１】
特開平２−５０２８７号公報
【０００４】
【発明が解決しようとする課題】
従来の複数のアプリケーション間でのデータ共有には、
（１）エレメンタリファイル（ＥＦ）単位でのデータ共有のオン／オフを指定できる。
（２）書換え不可能な不揮発性メモリ（ＲＯＭ）にプログラムされたデータのみ、データ要素単位にて共有のオン／オフを指定できる。
【０００５】
という方法が用いられてきた。
【０００６】
ところが、上記（１）の方法では、共有するデータをデータ要素単位に細かく指定することが行なえない。また、上記（２）の方法を用いて、細かく共有データを指定するためには、不揮発性メモリ（ＲＯＭ）にあらかじめプログラムしておく必要があり、さらに、カード発行時などにデータ共有のオン／オフを任意に設定することができず、プログラムされた一義的な共有しか行なえないという、汎用的なプログラムを開発とするための障害となっていた。
【０００７】
そこで、本発明は、登録された複数のアプリケーション間でのデータ共有のオン／オフを、発行時に任意に変更することを可能とし、また、ファイル内の細かなデータ要素単位でのデータ共有のオン／オフ指定も可能とする携帯可能電子装置を提供することを目的とする。
【０００８】
【課題を解決するための手段】
本発明の携帯可能電子装置は、データを記憶するメモリ、および、このメモリに対してデータの読出しあるいは書込みを行なうための制御部を有し、選択的に外部との間でデータの入出力を行ない、かつ、複数のアプリケーションが登録されていて、これら複数のアプリケーションに関係するデータが格納される複数のアプリケーションファイルが前記メモリ内に設けられている携帯可能電子装置において、前記複数のアプリケーション間で、そのアプリケーションファイル内のデータを共有指定するための共有データを記憶した記憶手段と、この記憶手段に記憶された共有データを解釈し前記データ共有を実現する制御手段とを具備している。
【０００９】
また、本発明の携帯可能電子装置は、データを記憶する書換え可能な不揮発性の第１のメモリ、この第１のメモリに対してデータの読出しあるいは書込みを行なうための制御部、および、この制御部が動作するためのプログラムが格納されている書換え不可能な不揮発性の第２のメモリを有し、選択的に外部との間でデータの入出力を行ない、かつ、複数のアプリケーションが登録されていて、これら複数のアプリケーションに関係するデータが格納される複数のアプリケーションファイルが前記第１のメモリ内に設けられている携帯可能電子装置において、前記第２のメモリ内に記憶され、前記複数のアプリケーション間で、そのアプリケーションファイル内のデータを共有指定するための共有データを格納した共有データテーブルと、前記第１のメモリ内に記憶され、前記共有データテーブルに対応して前記データ共有を行なうか否かを指定する共有指定データと、前記第２のメモリ内に記憶され、前記第２のメモリに記憶された共有データテーブルの内容および前記第１のメモリに記憶された共有指定データを解釈し前記データ共有を実現するプログラムを有し、このプログラムを実行することにより前記データ共有を実現する制御手段とを具備している。
【００１０】
【発明の実施の形態】
以下、本発明の実施の形態について図面を参照して説明する。
図１は、本実施の形態に係る携帯可能電子装置としてのＩＣカードを取扱うＩＣカードシステムの構成例を示すものである。このＩＣカードシステムは、ＩＣカード１１をカードリーダ・ライタ１２を介してパーソナルコンピュータなどの端末装置１３と接続可能にするとともに、端末装置１３にキーボード１４、ＣＲＴ表示部１６、プリンタ１６を接続して構成される。
【００１１】
図２は、ＩＣカード１１の構成を示すもので、制御部としての制御素子（たとえば、ＣＰＵ）１０１、第１のメモリとしてのデータメモリ１０２、ワーキングメモリ１０３、第２のメモリとしてのプログラムメモリ１０４、および、カードリーダ・ライタ１２との電気的接触を得るためのコンタクト部１０５によって構成されている。そして、これらのうち、破線内の部分（制御素子１０１、データメモリ１０２、ワーキングメモリ１０３、プログラムメモリ１０４）は１つ（あるいは複数）のＩＣチップで構成され、さらに、このＩＣチップとコンタクト部１０５とが一体的にＩＣモジュール化されて、ＩＣカード本体内に埋設されている。
【００１２】
データメモリ１０２は、各種データの記憶に使用され、たとえば、ＥＥＰＲＯＭなどの記憶内容が書換え可能な不揮発性メモリで構成されている。
ワーキングメモリ１０３は、制御素子１０１が処理を行なう際の処理データなどを一時的に保持するための作業用メモリであり、たとえば、ＲＡＭなどで構成される。
プログラムメモリ１０４は、たとえば、マスクＲＯＭなどの記憶内容が書換え不可能な不揮発性メモリで構成されており、制御素子１０１の制御プログラム、および、複数のアプリケーションプログラムなどを記憶するものである。
【００１３】
図３は、データメモリ１０２の構成を示している。データメモリ１０２は、複数のアプリケーションに関するデータがファイル構造で記憶されている。図２の例では、たとえば、２つのクレジット用アプリケーションが登録された状態を示している。
【００１４】
すなわち、最上位がマスタファイル（ＭＦ：Ｍａｓｔｅｒ  Ｆｉｌｅ）２０１で、その配下には、各アプリケーションごとに設定されるフォルダとしてアプリケーションファイル（ＡＤＦ：Ａｐｐｌｉｃａｔｉｏｎ  Ｄｅｄｉｃａｔｅｄ  Ｆｉｌｅ、ＤＦ番号：０１，０２）２０２，２０３が設けられ、さらに、アプリケーションファイル２０２の配下には、実際にアプリケーションで使われるユーザデータ等の格納に使用されるエレメンタリファイル（ＥＦ：Ｅｌｅｍｅｎｔａｒｙ  Ｆｉｌｅ）、たとえば、レコードデータＥＦ（ＥＦ番号：１１）２０４、キーデータＥＦ（ＥＦ番号：１２）２０５、バイナリデータＥＦ（ＥＦ番号：１３）２０６、共有データテーブルＥＦ（ＥＦ番号：１４）２０７が設けられ、アプリケーションファイル２０３の配下には、同じく実際にアプリケーションで使われるユーザデータ等の格納に使用されるエレメンタリファイル、たとえば、レコードデータＥＦ（ＥＦ番号：２１）２０８、キーデータＥＦ（ＥＦ番号：２２）２０９、バイナリデータＥＦ（ＥＦ番号：２３）２１０、共有データテーブルＥＦ（ＥＦ番号：２４）２１１が設けられている構成になっている。
【００１５】
バイナリデータＥＦ２０６，２１０は、たとえば、図４に示すように、その内部がデータ要素として、それぞれ、取引回数カウンタ、取引金額、前回取引結果、取引回数上限値、取引金額上限値、と分かれているものとする。
【００１６】
本実施の形態では、データ要素単位でのデータ共有の有効性を、カード発行時に任意に指定可能とするもので、たとえば、取引回数カウンタのみを共有することにより、これまではアプリケーションごとにカウントされていた取引回数が、カード全体での取引回数カウンタとなり、カード使用者の取引回数に対して厳しい条件付けを行なうことができる。また、このような厳しい条件付けを行ないたくない場合は、データ共有をオフに設定することで、アプリケーションごとに取引回数カウンタを別々に使用することもできる。
【００１７】
本実施の形態では、図３に示した共有データテーブルＥＦ２０７，２１１を使用することで、アプリケーションファイル２０２，２０３の間において、たとえば、バイナリデータＥＦ２０６，２１０内の取引回数カウンタのみをデータ共有オンするなど、データ要素単位でのデータ共有のオン／オフを任意に設定することが可能であり、上記のような有効性を得ることができる。以下、その実現方法について詳細に説明する。
【００１８】
まず、共有データテーブルＥＦ２０７，２１１は、たとえば、図５に示すように構成されている。すなわち、１つのデータ要素のデータ共有をオンに指定するために、下記のようなデータが連なったテーブルを作成する。
参照元ＥＦ番号          ：１バイト
参照元データ先頭アドレス：２バイト
参照先ＤＦ番号          ：１バイト
参照先ＥＦ番号          ：１バイト
参照先データ先頭アドレス：２バイト
参照データ長            ：２バイト
ここで、現在カレント状態となっているアプリケーションファイル（ＡＤＦ）を参照元、データを共有する（データを参照する）先となるアプリケーションファイル（ＡＤＦ）を参照先と呼ぶ。たとえば、図５に示したように共有データテーブルＥＦ２１１が設定されている場合、アプリケーションファイル２０２，２０３間では、図４に示すバイナリデータＥＦ２０６，２１０内の取引回数カウンタのみがデータ単位で共有オンの指定をされた状態となる。
ここに、共有データテーブルＥＦ２１１内の先頭バイトは、以降のデータに設定されている共有指定されたデータの個数を示し、図５の例は共有指定されたデータの個数（共有データ数）が１個（０１ｈ）の場合を示している。
【００１９】
なお、実際の運用において、この共有データテーブルＥＦ２０７，２１１へのデータ設定は、アプリケーションファイル２０２，２０３間でのファイアウォールなど、セキュリティの確保のため、ＩＣカードの発行時、または、ＩＣカードの運用時においては、しかるべきアクセス権限を持つ人だけが設定、変更できるようにする必要がある。
【００２０】
次に、共有データテーブルＥＦが設定されているＩＣカードの動作を図６に示すフローチャートを参照して説明する。
たとえば、今、アプリケーションファイル２０３が選択された状態にあり、この状態において、端末装置１３からコマンドを受信すると（ステップＳ１）、制御素子１０１は、受信したコマンドの対象となるエレメンタリファイル（ＥＦ）が共有データテーブルＥＦ２０７内の参照元エレメンタリファイルとして登録されているかを判定する（ステップＳ２）。この判定の結果、参照元エレメンタリファイルとして登録されていない場合、制御素子１０１は、通常のコマンド処理を継続する。
【００２１】
ステップＳ２の判定の結果、参照元エレメンタリファイルとして登録されているエレメンタリファイルにアクセスするコマンドと判定された場合、制御素子１０１は、データメモリ１０２内の該当エレメンタリファイル（この例の場合、バイナリデータＥＦ２１０）のデータをコマンド処理のため、ワーキングメモリ（ＲＡＭ）１０３へ展開する（ステップＳ３）。
【００２２】
次に、制御素子１０１は、共有データテーブルＥＦ２０７内の参照元データ先頭アドレス、参照先ＤＦ番号、参照先ＥＦ番号、参照先データ先頭アドレスからデータ単位で共有されているデータを検索し（ステップＳ４）、データ共有指定があれば（ステップＳ５）、参照先エレメンタリファイル（この例の場合、バイナリデータＥＦ２０６）から参照データ長分のデータ（この例の場合、取引回数カウンタ）を読出し、この読出したデータを既にワーキングメモリ１０３に展開されている参照元エレメンタリファイル２１０の該当データ（この例の場合、取引回数カウンタ）の上に上書きする（ステップＳ６）。
【００２３】
次に、制御素子１０１は、通常と同じくコマンドの処理を行なう（ステップＳ７）。この例の場合においては、ワーキングメモリ１０３に展開されている取引回数カウンタを「＋１」する処理を行なう。なお、ステップＳ５において、データ共有指定がなければ、ステップＳ６をジャンプしてステップＳ７に進む。
【００２４】
次に、制御素子１０１は、コマンド処理が終了すると、ワーキングメモリ１０３に展開されている全てのデータを参照元エレメンタリファイル２１０へ書込む処理を行なう（ステップＳ８）。
次に、制御素子１０１は、ステップＳ５と同様にデータ共有指定があるか否かをチェックし（ステップＳ９）、データ共有指定があれば、ワーキングメモリ１０３に展開されているデータのうち共有データテーブルＥＦ２０７で共有指定されているデータのみを参照先エレメンタリファイル２０６の該当位置へ書込む（ステップＳ１０）。
【００２５】
次に、制御素子１０１は、受信したコマンドに対するレスポンスを端末装置１３へ送信して（ステップＳ１１）、当該処理を終了する。なお、ステップＳ９において、データ共有指定がなければ、ステップＳ１０をジャンプしてステップＳ１１に進む。
【００２６】
以上のような処理を各コマンドに対して行なうことにより、任意のエレメンタリファイル内の任意のデータをデータ単位で共有することが可能となる。データ共有を全く行なわない場合は、共有データテーブルの先頭バイト（共有データ数）を０「００ｈ」に設定することで、実現することができる。
【００２７】
なお、前記実施の形態では、共有データテーブルをエレメンタリファイル構造としてデータメモリ１０２内に格納する場合を示したが、データメモリ１０２のサイズ制限、あるいは、必ずしも汎用的にする必要がない場合などにおいては、図７に示すような共有データテーブル（図５と同様）３０１をプログラムメモリ１０４内にあらかじめプログラムしておくとともに、図８に示すようなデータ共有のオン／オフを指定するデータ（共有指定ＥＦ）３０２のみをデータメモリ１０２に格納することで、同機能を実現することが可能である。
図８の例では、共有指定ＥＦ３０２の１バイト目最上位ビット（８ビット目）をオン（「１」）とすることで、取引回数カウンタのみのデータ共有が可能となる。
【００２８】
具体的には、共有指定ＥＦ３０２の１バイト目最上位ビットがオンであることを認識した場合、同ビットがオンの場合に参照されるプログラムメモリ１０４内の共有データテーブル３０１を参照し、共有データテーブルを取得する。その後に、前記実施の形態と同様な手順にて処理を行ない、最終的にデータをデータメモリ１０２へ書込む。
【００２９】
以下、共有データテーブルおよび共有指定ＥＦが設定されているＩＣカードの動作を図９に示すフローチャートを参照して説明する。
前記実施の形態と同様、アプリケーションファイル２０３が選択された状態にあり、この状態において、端末装置１３からコマンドを受信すると（ステップＳ２１）、制御素子１０１は、受信したコマンドの対象となるエレメンタリファイルが共有データテーブル３０１内の参照元エレメンタリファイルとして登録されているかを判定する（ステップＳ２２）。この判定の結果、参照元エレメンタリファイルとして登録されていない場合、制御素子１０１は、通常のコマンド処理を継続する。
【００３０】
ステップＳ２２の判定の結果、参照元エレメンタリファイルとして登録されているエレメンタリファイルにアクセスするコマンドと判定された場合、制御素子１０１は、データメモリ１０２内の該当エレメンタリファイル（この例の場合、バイナリデータＥＦ２１０）のデータをコマンド処理のため、ワーキングメモリ（ＲＡＭ）１０３へ展開する（ステップＳ２３）。
【００３１】
次に、制御素子１０１は、データメモリ（ＥＥＰＲＯＭ）１０２内の共有指定ＥＦ３０２を検索し（ステップＳ２４）、データ共有指定ビットがあるか否かをチェックする（ステップＳ２５）。このチェックの結果、データ共有指定ビットがある場合、制御素子１０１は、プログラムメモリ１０４から共有データテーブル３０１を検索し（ステップＳ２６）、参照先エレメンタリファイル２０６から参照データ長分のデータ（取引回数カウンタ）を読出し、この読出したデータを既にワーキングメモリ１０３に展開されている参照元エレメンタリファイル２１０の該当データ（取引回数カウンタ）の上に上書きする（ステップＳ２７）。
【００３２】
次に、制御素子１０１は、通常と同じくコマンドの処理を行なう（ステップＳ２８）。この例の場合においては、ワーキングメモリ１０３に展開されている取引回数カウンタを「＋１」する処理を行なう。なお、ステップＳ２５において、データ共有指定ビットがなければ、ステップＳ２６，Ｓ２７をジャンプしてステップＳ２８に進む。
【００３３】
次に、制御素子１０１は、コマンド処理が終了すると、ワーキングメモリ１０３に展開されている全てのデータを参照元エレメンタリファイル２１０へ書込む処理を行なう（ステップＳ２９）。
次に、制御素子１０１は、データメモリ１０２（ＥＥＰＲＯＭ）内の共有指定ＥＦ３０２を検索し（ステップＳ３０）、データ共有指定ビットがあるか否かをチェックする（ステップＳ３１）。このチェックの結果、データ共有指定ビットがある場合、制御素子１０１は、プログラムメモリ１０４から共有データテーブル３０１を検索し（ステップＳ３２）、ワーキングメモリ１０３に展開されているデータのうち共有データテーブル３０１で共有指定されているデータのみを参照先エレメンタリファイル２０６の該当位置へ書込む（ステップＳ３３）。
【００３４】
次に、制御素子１０１は、受信したコマンドに対するレスポンスを端末装置１３へ送信して（ステップＳ３４）、当該処理を終了する。なお、ステップＳ３１において、データ共有指定ビットがなければ、ステップＳ３２，Ｓ３３をジャンプしてステップＳ３４に進む。
【００３５】
以上のような方法でも前記実施の形態と同様な機能を実現することが可能である。
【００３６】
以上説明したように、上記実施の形態によれば、ＩＣカードのプログラムメモリ（ＲＯＭ）のプログラムを変更することなく、複数搭載されたアプリケーション間でのデータ共有のオン／オフを、カード発行時に任意に設定することが可能となり、また、これまでのＩＣカードでは、プログラムを変更することなしには実現できなかった、エレメンタリファイル内の細かなデータ単位でのデータ共有のオン／オフの指定も可能となる。
【００３７】
また、ＩＣカードのデータ共有のオン／オフの設定に関して、プログラムメモリのプログラムを変更する必要がなくなるため、ＩＣカードプログラムの共通化および汎用化を図ることができる。
【００３８】
さらに、ＩＣカード発行システムなどにおいても、データ共有のオンの場合と、オフの場合で、アプリケーションファイル内のファイル構成が同一であるため、データ共有のオンの場合とオフの場合で異なる処理を行なう必要がない。このため、発行システムの共通化および汎用化をも図ることができる。
【００３９】
なお、前記実施の形態では、接触式ＩＣカードおよびその周辺システムについて例示したが、その形態についての限定はなく、たとえば、いわゆるＣＯＴと称されるモジュール形態のもの、非接触式ＩＣカードなどに対しても、同様に適用可能である。
【００４０】
【発明の効果】
以上詳述したように本発明によれば、登録された複数のアプリケーション間でのデータ共有のオン／オフを、発行時に任意に変更することを可能とし、また、ファイル内の細かなデータ要素単位でのデータ共有のオン／オフ指定も可能とする携帯可能電子装置を提供できる。
【図面の簡単な説明】
【図１】本発明の実施の形態に係るＩＣカードを取扱うＩＣカードシステムの構成を概略的に示すブロック図。
【図２】ＩＣカードの構成を概略的に示すブロック図。
【図３】データメモリの構成を模式的に示す図。
【図４】バイナリデータＥＦ内のデータ要素構成の一例を示す図。
【図５】共有データテーブルＥＦ内のデータ構成の一例を示す図。
【図６】動作を説明するフローチャート。
【図７】本発明の変形例に係る共有データテーブルのデータ構成の一例を示す図。
【図８】本発明の変形例に係る共有指定ＥＦ内のデータ構成の一例を示す図。
【図９】本発明の変形例に係る動作を説明するフローチャート。
【符号の説明】
１１…ＩＣカード、１２…カードリーダ・ライタ、１３…端末装置、１４…キーボード、１５…ＣＲＴ表示部、１６…プリンタ、１０１…制御素子（制御部）、１０２…データメモリ（メモリ、記憶手段、第１のメモリ）、１０３…ワーキングメモリ、１０４…プログラムメモリ（第２のメモリ）、１０５…コンタク部、２０１…マスタファイル、２０２，２０３…アプリケーションファイル、２０４〜２１１…エレメンタリファイル、２０４，２０８…レコードデータＥＦ、２０５，２０９…キーデータＥＦ、２０６，２１０…バイナリデータＥＦ、２０７，２１１…共有データテーブルＥＦ、３０１…共有データテーブル、３０２…共有指定ＥＦ。
【図１】
2004157924.tif 000003
【図２】
2004157924.tif 000004
【図３】
2004157924.tif 000005
【図４】
2004157924.tif 000006
【図５】
2004157924.tif 000007
【図６】
2004157924.tif 000008
【図７】
2004157924.tif 000009
【図８】
2004157924.tif 000010
【図９】
2004157924.tif 000011